(57)【要約】【課題】製造時における変形や引きつれが生じたりすることがなく、薄い吸水性シートであってもパック剤の保持性能に優れ、肌への馴染みも良好なパック用シートマスクを提供す。【解決手段】パック剤を塗布及び／又は含浸させるべき吸水性シート（１１）の片面に、非透水性フィルム（１２）を、多数のスポット溶着により溶着して成るベースシート（１０）を、使用者の顔面をカバーし得る形状に形成して成ることを特徴とする。望ましくは、両眼及び口に対応する箇所にそれぞれ透孔（１４、１５、１６）を設け、鼻に対応する箇所に鼻の上面をカバーし得るようにするための切込み線（１６）を入れるようにする。【選択図】図１
2014188059.tif 000002
【特許請求の範囲】
【請求項１】
パック剤を塗布及び／又は含浸させるべき吸水性シートの片面全域に、非透水性フィルムを多数のスポット溶着により溶着してベースシートを形成させ、このベースシートを使用者の顔面をカバーし得る形状に加工形成して成ることを特徴とする、パック用シートマスク。
【請求項２】
前記ベースシートには、両眼及び口に対応する箇所にそれぞれ透孔を設け、鼻に対応する箇所に鼻の上面をカバーし得るようにするための切込み線を入れたことを特徴とする、請求項１に記載のパック用シートマスク。
【請求項３】
前記ベースシートには、両眼及び口に対応する箇所にそれぞれ透孔を設け、鼻に対応する箇所に鼻の上面をカバーし得るようにするための切込み線を入れると共に、外周近くの領域の少なくとも１箇所に外周縁から内側へ向かう切込み線を入れたことを特徴とする、請求項１に記載のパック用シートマスク。
【請求項４】
前記ベースシートには、両眼及び口に対応する箇所にそれぞれ透孔を設け、鼻に対応する箇所に鼻の上面をカバーし得るようにするための切込み線を入れ、外周近くの領域の少なくとも１箇所に外周縁から内側へ向かう切込み線を入れると共に、両眼及び口に対応する箇所にそれぞれ設けた前記透孔の全部或は一部に切込み線を入れたことを特徴とする、請求項１記載のパック用シートマスク。
【請求項５】
前記ベースシートの前記吸水性シートには、パック剤を塗布及び／又は含浸させたことを特徴とする、請求項１乃至４のいずれか１項に記載のパック用シートマスク。
【請求項６】
前記ベースシートの前記吸水シートには、パック剤を塗布及び／又は含浸させると共に、その表面に前記パック剤の表面を覆う剥離フィルムを付着させたことを特徴とする、請求項５に記載のパック用シートマスク。
【発明の詳細な説明】
【技術分野】
【０００１】
本発明は、とくに女性が美容のために顔面を覆って用いるパック用シートマスクに関する。
【背景技術】
【０００２】
この種のパック用シートマスクとしては、従来より各種各様のものが広く利用されている。
例えば、下記の特許文献１には、吸着性の良いシート材の片面に全面に渡ってビニールシートを接着すると共に、その全面に多数の皮膚呼吸用通気孔を設けたパック用補助マスクが開示されている。
また、下記の特許文献２には、折り畳まれた状態から顔形状に展開して顔に当てる際に手間や時間がかからないようにするために、不織布の片面にネット状樹脂フィルムを重ねて溶着して成るシートマスクが開示されている。
しかしながら、特許文献１のものは、パック剤を塗布する吸着性の良いシート材とビニールシートが、全面的に接着しているため、パック剤の保持量が少なくなるという問題があった。また、特許文献１と２のものは、シートマスクの通気性が高いため、使用中に美容液等のパック剤の成分が体温によって揮発、蒸散しやすく、必要以上に多量のパック剤を使用しなければならないという問題があった。
【０００３】
また、単なる不織布等のシートを顔面形状に裁断して成るパック用シートマスクに、パック剤をしみ込ませて使用するものもあるが、その場合、パック剤の揮発を防ぐため、シートの上にラップフィルムやビニールフイルムを重ねて使用する者も多かった。そのため、手間と時間がかかり、動くとずれてしまうことがあった。
【０００４】
このような不具合に対応し得るものとして、特許文献３には、薬液を含浸させる吸水シートから成る含水層の外面に、水分の透過を妨げる材料から成る防水層を重畳、貼着したシートマスクが開示されている。
【０００５】
しかしながら、この特許文献３に記載のシートマスクにおいては、前記含水層と防水層とが全面的に貼着されているため、両者の加熱貼着後の収縮率が相違すると変形や引きつりを起こすことが多く、貼着の影響が含水層にも及び易かった。また、含水層と防水層との間に隙間がなく、両者相互間に伸縮、変移可能な余裕がないため、パック剤の含浸量が少なく、使用時にも肌への馴染みが十分ではない、というような問題点もあった。
【先行技術文献】
【特許文献】
【０００６】
【特許文献１】実開昭５９−１９０１１６号公報
【特許文献２】特開２０００−２８７７５１号公報
【特許文献３】実開平１−１１１５１９号公報
【発明の概要】
【発明が解決しようとする課題】
【０００７】
本発明は、従来のパック用シートマスクの上記の如き問題点を解決することを課題とするものであり、パック剤中の水分や薬用成分揮発、蒸散が防止されると共に、製造時の吸水シートと非透水性フィルムとの溶着による変形や引きつれを生じたりすることがなく、薄い吸水性シートであってもパック剤の保持性能に優れ、肌への馴染みも良好で、更には、肌の温暖化による美顔効果や、保湿成分の浸透効果も良好なパック用シートマスクを提供せんとするものである。
【課題を解決するための手段】
【０００８】
上記課題を達成するために、請求項１に係るパック用シートマスクは、パック剤を塗布及び／又は含浸させるべき吸水性シートの片面全域に、非透水性フィルムを多数のスポット溶着により溶着してベースシートを形成させ、このベースシートを使用者の顔面をカバーし得る形状に加工形成して成ることを特徴とする
【０００９】
その際に、請求項２に係るパック用シートマスクは、ベースシートの両眼及び口に対応する箇所にそれぞれ透孔を設け、鼻に対応する箇所に鼻の上面をカバーし得るようにするための切込み線を入れたことを特徴とする。
【００１０】
さらに、請求項３に係るパック用シートマスクは、前記ベースシートに両眼及び口に対応する箇所にそれぞれ透孔を設け、鼻に対応する箇所に鼻の上面をカバーし得るようにするための切込み線を入れると共に、外周近くの領域の少なくとも１箇所に外周縁から内側へ向かう切込み線を入れたことを特徴とする。
【００１１】
さらに、請求項４に係るパック用シートマスクは、前記ベースシートに両眼及び口に対応する箇所にそれぞれ透孔を設け、鼻に対応する箇所に鼻の上面をカバーし得るようにするための切込み線を入れ、外周近くの領域の少なくとも１箇所に外周縁から内側へ向かう切込み線を入れると共に、両眼及び口に対応する箇所にそれぞれ設けた前記透孔の全部或は一部に切込み線を入れたことを特徴とする。
【００１２】
さらに、請求項５に係るパック用シートマスクは、前記ベースシートの前記吸水性シートに、パック剤を塗布及び／又は含浸させたことを特徴とする。
【００１３】
その材に、請求項６に係るパック用シートマスクは、前記ベースシートの前記吸水シートに、パック剤を塗布及び／又は含浸させると共に、その表面に前記パック剤の表面を覆う剥離フィルムを付着させたことを特徴とする。
【発明の効果】
【００１４】
本発明に係るパック用シートマスクのベースシートは、吸水性シートの片面（外面）全域にわたってスポット溶着された非透水性フィルムによって水分やパック剤の揮発、蒸散が防止されると共に、上記の如く、吸水性シートと非透水性フィルムとを多数のスポット溶着により溶着したため、全面的に溶着した場合のような溶着による変形や引きつれが生じるのを防止でき、溶着の影響が含水層にまで及ぶのを回避できる。また、前記スポット溶着した部分以外の領域では、吸水性シートと非透水性フィルムとの間に隙間が形成され、両者相互間に伸縮、変移の余裕が生じるため、薄い吸水性シートであってもパック剤の保持性能に優れ、肌への馴染みも良好で、更には、水分等の蒸散低下により肌の表面温度の低下も抑制されるため、肌の温度低下を防止できることによる美顔効果や、保湿成分の浸透効果も良好なパック用シートマスクを提供し得るものである。
【図面の簡単な説明】
【００１５】
【図１】本発明に係るパック用シートマスクの一実施例を示す平面図である。
【図２】図１中のＡ−Ａ線に沿った拡大断面図である。
【図３】図２に示したパック用シートマスクの吸水性シートにジェル状のパック剤を塗布し、その表面に剥離フィルムを付着させた状態を示す拡大断面図である。
【図４】本発明に係るパック用シートマスクのベースシートの製造方法の一例を説明するための説明図である。
【発明を実施するための形態】
【００１６】
以下、本発明に係るパック用シートマスクの実施例を図面に基づいて説明する。
図１及び図２に示す実施例において、本発明に係るパック用シートマスク１Ａは、吸水性シート１１の片面に、非透水性フィルム１２をスポット溶着して成るベースシート１０を、打抜き加工等により使用者の顔面をカバーし得る形状に形成して成るものである。吸水性シート１１と非透水性フィルム１２との溶着は、本発明の場合、多数のスポット溶着によってなされ、その結果、多数のスポット溶着部１３、１３・・・が形成される。によってなされている。このように、吸水性シート１１と非透水性フィルム１２が多数のスポット溶着部１３、１３・・・によって溶着することにより、従来の如く吸水性シート１１と非透水性フィルム１２とを全面的に溶着する場合に比べて、スポット溶着部以外では吸水性シート１１と非透水性フィルム１２との間に隙間ができ、両者相互間に伸縮、変移の余裕が生じるため、製造されたベースシート１０に、全面溶着による変形や引きつれが生じるのを防止でき、また、薄い吸水性シートであってもパック剤の保持性能が向上し、肌への馴染みも良好となる。尚、実施例ではスポット溶着は、所定間隔置きになされているが、このものには限定されず、ランダムにスポット溶着してもよい。
【００１７】
吸水性シート１１としては、綿等の天然セルロース系繊維の不織布、ポリオレフィン系合成繊維の不織布、これらの混合繊維の不織布、場合によっては和紙、等々が親水性、保水性等の観点から好適に用いられるが、吸水、保水性能を有するものであれば、これらに限定されるものではない。
【００１８】
また、非透水性フィルム１２としては、ビニールフィルム、ポリエチレンフィルム等が、柔軟性や溶着の容易性等の観点から好適に用いられるが、必ずしもこれらに限定されるものではなく、吸水性シート１１の間で溶着ができ、柔軟でパック剤による化学変化が生じないものであればよい。
【００１９】
スポット溶着手段としては、実施例のものは後述する高周波誘電加熱法による高周波溶着を利用することが推奨されるが、超音波溶着によることを妨げない。
【００２０】
上記の如く、吸水性シート１１と非透水性フィルム１２をスポット溶着して成るベースシート１０を、使用者の顔面をカバーし得る形状にするために、打抜き加工等によって、両眼に対応する箇所に透孔１４、１４を明け、口に対応する箇所に透孔１５を明け、鼻に対応する箇所に前記ベースシートが持ち上がって鼻の上面をカバーし得るようにするための切込み線１６を入れるようにする。
【００２１】
また、使用中における両眼及び口の開閉動作に対する追従性を向上させるために、必要に応じて、両眼用の透孔１４、１４の左右両端に臨む領域に切込み線１４ａ、１４ｂを入れ、また、口用の透孔１５の左右両端に臨む領域に切込み線１５ａ、１５ｂを入れるようにする。
【００２２】
さらにまた、立体的な顔面への追従性、密着性を向上させるために、パック用シートマスク１Ａの外周近くの領域の外周縁から内側へ向かう切込み線１７ａ〜１７ｄを入れるようにすることが望ましい。以上により、図１及び図２に示した実施例のパック用シートマスク１Ａが完成する。
【００２３】
尚、図３に示すように、ベースシート１０の吸水性シート１１の側に、予めパック剤１８を塗布及び／又は含浸させたパック用シートマスク１Ｂとして市販、提供するようにしてもよい。パック剤１８としては、純水、ミネラルウォーター等から、各種薬剤を含んだクリーム状もしくはジェル状のものまで、使用目的に応じて各種各様のものを広く用いることができる。パック剤１８がクリーム状もしくはジェル状のものの場合には、取扱いの便宜のために、パック剤１８の表面に剥離フィルム１９を付着させた状態で提供することが推奨される。
【００２４】
次に、図４を参照して、吸水性シート１１と非透水性フィルム１２を、所定間隔おきに多数のスポット溶着によって溶着することにより、ベースシート１０を作製する場合の溶着手段として好適な高周波誘電加熱法による高周波溶着について説明する。
この場合、所定間隔おきに多数の突起電極２０ａ、２０ａ・・・を立設した下部電極板２０の上に、先ず適宜大きさに裁断した非透水性フィルム１２を置き、その上に同じ大きさの吸水シート１１を重ねて置いた上で、上部の平板状の上部電極２１を降下させて下部電極２０の突起電極２０ａ、２０ａ・・・との間に挟み、高周波電場を印加するものである。この高周波電場の誘電作用によって、突起電極２０ａ、２０ａ・・・の先端に接触した非透水性フィルム１２の部分が発熱、溶融し、その部分において局部的に吸水性シート１１と溶着され、これによって、前記多数のスポット溶着部１３、１３・・・が形成される。このような高周波溶着装置自体は、「高周波ウェルダー」として公知であり、電場形成用の電極については、溶着目的に応じて所望の形状のものを作製、使用するものである。
このようにスポット溶着したベースシートは、型抜きすることにより、図１に示したような人間の顔をカバーし得る形状に形成されるものである。
また、上部電極板２１と下部電極板２０を逆にしてもよいし、移動させる電極板を上下逆にしてもよい。さらに、吸水性シート１１と非透水性フィルム１２を予め裁断しておくことをしないで、ロール巻にしたものを用い、図示してない送り装置で移動させながらスポット溶着を行い、その後に自動的に型抜きするようにしてもよい。
【００２５】
尚、本発明に係るパック用シートマスクは、前記実施例に限定されるものではなく、その形状やサイズ、スポット溶着部の数や配置、切込み線の数や配置、等々は、パック用シートマスクの使用目的等に応じて適宜設計変更されるものであり、従って、本発明は特許請求の範囲に含まれるすべての変更実施例を包含するものである。
【産業上の利用可能性】
【００２６】
上述の如く、本発明に係るパック用シートマスクのベースシートは、吸水性シートの片面（外面）にスポット溶着された非透水性フィルムによって水分や薬用成分の揮発、蒸散が防止されると共に、吸水性シートと非透水性フィルムとを多数のスポット溶着部により溶着したため、全面的に溶着した場合のような溶着による変形や引きつれが生じるのを防止でき、溶着の影響が含水層にまで及ぶのを回避でき、また、前記スポット溶着部以外の領域では、吸水性シートと非透水性フィルムとの間に隙間が形成され、両者相互間に伸縮、変移の余裕が生じるため、薄い吸水性シートであってもパック剤の保持性能に優れ、肌への馴染みも良好で、更には、水分等の蒸散低下により肌の表面温度の低下も抑制されるため、肌の温暖化による美顔効果や、保湿成分の浸透効果も良好なパック用シートマスクとして広く利用できるものである。
【符号の説明】
【００２７】
１Ａ、１Ｂ  パック用シートマスク
１０        ベースシート
１１        吸水性シート
１２        非透水性シート
１３        スポット溶着部
１４、１４  眼に対応する透孔
１５        口に対応する透孔
１６        鼻に対応する切込み線
１７ａ〜１７ｄ  切込み線
１８        パック剤
１９        剥離フィルム
２０        下部電極板
２０ａ      突起電極
２１        上部電極板
【図１】
2014188059.tif 000003
【図２】
2014188059.tif 000004
【図３】
2014188059.tif 000005
【図４】
2014188059.tif 000006